(57)【特許請求の範囲】
【請求項１】
所定方向に回転自在に取り付けられている回転ダイヤル部と、
前記回転ダイヤル部の回転されたときの回転量を検出する回転量検出部と、
前記回転量検出部により検出される回転量ごとに起動するアプリケーションを所定順序に沿って対応付けて記憶する記憶部と、
前記回転ダイヤル部が回転されると、前記記憶部を参照して前記回転量検出部により検出される回転量に対応するアプリケーションを特定し、特定されたアプリケーション及び前記所定順序にしたがって当該特定されたアプリケーションに隣り合うアプリケーションのそれぞれに対応する表示オブジェクトを選択する選択部と、
前記選択部にて選択された前記表示オブジェクトを表示部に表示中に、前記回転量に基づかない操作で他のアプリケーションを表示した後に前記回転ダイヤル部が回転されると、前記記憶部を参照して前記回転量検出部により検出される回転量と前記他のアプリケーションとに基づいて特定されたアプリケーションに対応する表示オブジェクトを表示する制御部と、を備え、
前記回転ダイヤル部の表面には、回転する方向において所定の間隔ごとにそれぞれ、アプリケーションの機能を意匠化した図形とは異なるものであって、前記表示オブジェクトとは異なる抽象的な記号が付されており、
前記記号は、アプリケーションを特定させる目印であることを特徴とする携帯電子機器。
【請求項２】
前記表示部を有する第１の筐体と、操作部を有する第２の筐体と、ヒンジ機構とにより構成されており、前記ヒンジ機構により前記第１の筐体と前記第２の筐体の状態を相対的に変化させることで当該筐体を開状態と閉状態に変移する構成であり、
前記開状態と前記閉状態を検出する開閉検出部と、を備え、
前記制御部は、前記開閉検出部の検出結果に基づいて、それぞれの状態で視認可能な前記回転ダイヤル部の指標と一致する個数の前記表示オブジェクトを前記表示部に表示するように制御することを特徴とする請求項１に記載の携帯電子機器。
【請求項３】
前記回転ダイヤル部は、前記ヒンジ機構のヒンジ軸と同一軸に回転自在に取り付けられ、
前記制御部は、前記表示部に表示されている前記表示オブジェクトを前記ヒンジ軸と直交する方向に移動するように制御することを特徴とする請求項２記載の携帯電子機器。
【発明の詳細な説明】
【技術分野】
【０００１】
本発明は、回転ダイヤル部を有する携帯電子機器に関する。
【背景技術】
【０００２】
携帯電話機の機能は、通信・通話のみならずテレビやラジオを視聴することもでき多機能化されている。ここで、携帯電話機においては、テレビ等の他の機能が選択されていない場合には、通信・通話の待受画面がトップ画面として表示され、当該待受画面から所定の操作を行うことにより他の機能を選択するメニュー選択画面に移行し、当該選択メニュー画面においてユーザが所定の操作を行うことにより他の機能の選択を行うことができる。しかし、当該メニュー選択画面には、多数の項目からなる選択メニューが表示されるため、例えば、操作に不慣れなユーザにとっては、このようなメニュー選択画面は使用上の抵抗を感じるものである。
【０００３】
ところで、デジタルカメラにおいては、物理的な回転ダイヤルによって機能選択を行うものが知られている。この回転ダイヤルには、ムービー機能（動画を記録する機能）や、連写機能（静止画撮影を短時間に複数行う機能）等の撮影作業を補助するメニューが選択可能に割り当てられている（例えば、特許文献１を参照。）。
【０００４】
また、このような回転ダイヤルには、起動する機能に対応する指標（アイコン）が付されている。しかしながら、機能の数が多くなるとアイコンが小さくなり、視認性が悪化する問題がある。
【０００５】
また、デジタルカメラにおいて、ダイヤルの回転操作に連動させて、当該ダイヤルに割り当てられている機能を表示部に表示する技術が提案されている（例えば、特許文献２を参照。）。
【先行技術文献】
【特許文献】
【０００６】
【特許文献１】特開２００１−２４５１８９号公報
【特許文献２】特開２００６−１９１３００号公報
【発明の概要】
【発明が解決しようとする課題】
【０００７】
現在、携帯電話機においては、デジタルカメラに用いられているような回転ダイヤルによる複数メニューの選択方式は採用されていない。また、携帯電話機には、デジタルカメラにはない特有のアプリケーション（通信・通話機能）が含まれており、また、通信・通話機能以外のアプリケーションを選択し、その後、次のアプリケーションを選択する場合には、通信・通話の待受画面が表示される等の仕様上の相違点も存在する。したがって、特許文献１に示されているような技術を携帯電話機に単に応用しただけでは、携帯電話機の操作上及び使用上不都合を生ずる。
【０００８】
また、携帯電話機の多機能化は進んでおり、ユーザの使用形態により即した機能操作の方法を有したものが求められている。
【０００９】
本発明では、上述のような課題に鑑みてなされたものであり、その目的の一つは、回転ダイヤル部を備えることにより、従来から用いられているメニュー選択画面と併用することにより、ユーザの好みに応じて直感的な操作を可能とする携帯電子機器を提供することにある。
【課題を解決するための手段】
【００１０】
本発明に係る携帯電子機器は、上記課題を解決するために、所定方向に自在に回転するように筐体に取り付けられている回転ダイヤル部と、前記回転ダイヤル部の回転されたときの回転量を検出する回転量検出部と、前記回転量検出部により検出される回転量ごとに起動するアプリケーションを規定順序に沿って対応付けて記憶する記憶部と、前記回転ダイヤル部が回転されると、前記記憶部を参照して前記回転量検出部により検出される回転量に対応するアプリケーションを特定し、特定されたアプリケーション及び前記規定順序にしたがって当該特定されたアプリケーションに隣り合うアプリケーションのそれぞれに対応する表示オブジェクトを選択する選択部と、前記回転ダイヤル部とは独立してアプリケーションの起動指示を受け付け可能な操作部と、前記選択部にて選択された表示オブジェクトを表示部に表示する制御部と、を備え、前記回転ダイヤル部の表面には、回転する方向において所定の間隔ごとにそれぞれ、アプリケーションの機能を意匠化した図形とは異なるものであって、前記表示オブジェクトとは異なる抽象的な記号が付されており、前記記号は、アプリケーションを起動させる目印であることを特徴とする。
【００１１】
また、本発明に係る携帯電子機器は、上記課題を解決するために、回転自在に筐体に取り付けられている回転ダイヤル部と、前記回転ダイヤル部が回転される都度、その回転量に対応してアプリケーションを特定し、特定されたアプリケーション及び規定順序にしたがって当該特定されたアプリケーションに隣り合うアプリケーションのそれぞれに対応する表示オブジェクトを選択する選択部と、前記回転ダイヤル部とは独立してアプリケーションの起動指示を受け付け可能な操作部と、前記選択部にて選択された表示オブジェクトを表示部に表示する制御部と、を備え、前記回転ダイヤル部の表面には、回転する方向において所定の間隔ごとにそれぞれ、アプリケーションの機能を意匠化した図形とは異なるものであって、前記表示オブジェクトとは異なる抽象的な記号が付されており、前記記号は、アプリケーションを起動させる目印であることを特徴とする。
【００１２】
また、携帯電子機器では、前記表示部を有する第１の筐体と、操作部を有する第２の筐体と、ヒンジ機構とにより構成されており、前記ヒンジ機構により前記第１の筐体と前記第２の筐体の状態を相対的に変化させることで当該筐体を開状態と閉状態に変移する構成であり、前記開状態と前記閉状態を検出する開閉検出部と、を備え、前記制御部は、前記開閉検出部の検出結果に基づいて、それぞれの状態で視認可能な前記回転ダイヤル部の指標と一致する個数の前記表示オブジェクトを前記表示部に表示するように制御する構成でも良い。
【００１３】
また、携帯電子機器では、前記回転ダイヤル部は、前記ヒンジ機構のヒンジ軸と同一軸に回転自在に取り付けられ、前記制御部は、前記表示部に表示されている前記表示オブジェクトを前記ヒンジ軸と直交する方向に移動するように制御する構成でも良い。
【発明の効果】
【００１４】
本発明によれば、ユーザの操作性を向上することができる。
【図面の簡単な説明】
【００１５】
【図１】本発明に係る携帯電話機の外観を示す図である。
【図２】携帯電話機の閉状態における表示部側筐体部から見たときの外観を示す図である。
【図３】携帯電話機の閉状態における操作部側筐体部から見たときの外観を示す図である。
【図４】回転ダイヤル部付近を拡大したときの図である。
【図５】回転ダイヤル部の機能についての説明に供する図である。
【図６】回転ダイヤル部の回転と表示部の表示態様についての説明に供する図である。
【図７】回転ダイヤル部に付されている各記号と起動されるアプリケーションとの関係についての説明に供する図である。
【図８】回転ダイヤル部に付されている各記号と起動されるアプリケーションとの関係についての説明に供する図である。
【図９】携帯電話機の機能を示す機能ブロック図である。
【図１０】携帯電話機に備えられている処理部の機能を示す機能ブロック図である。
【発明を実施するための形態】
【００１６】
以下、本発明の実施の形態について説明する。図１は、本発明に係る携帯電子機器の一例である携帯電話機１の外観図を示す。また、図２は、携帯電話機１の閉状態における表示部側筐体部３から見たときの外観図を示す。また、図３は、携帯電話機１の閉状態における操作部側筐体部２から見たときの外観図を示す。また、図４は、回転ダイヤル部付近の拡大図を示す。また、図５は、回転ダイヤル部の機能を示す図である。なお、以下では、携帯電話機について説明するが、本発明はこれに限定されるものではなく、回転ダイヤル部を有するものであり、なおかつ複数のアプリケーションを独立して起動可能であれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１７】
携帯電話機１は、図１に示すように、操作部側筐体部２と、表示部側筐体部３と、を備えて構成される。操作部側筐体部２は、表面部１０に、操作キー群１１と、携帯電話機１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、ボリュームコントロール等を行うコントロールボタン１６と、から構成されている。
【００１８】
また、表示部側筐体部３は、表面部２０に、各種情報を表示するためのディスプレイ２１と、通話の相手側の音声を出力する音声出力部２２と、を備えて構成されている。
【００１９】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開状態）にしたり、操作部側筐体部２と表示部側筐体部３とが折り畳まれた状態（閉状態）にしたりできる。
【００２０】
なお、図１は、いわゆる折り畳み型の携帯電話機１の形態を示しているが、本発明に係る携帯電話機１の形態としては特にこれに限られない。例えば、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２１】
また、ヒンジ機構４が形成されている位置には、所定方向に自在に回転するように筐体に取り付けられている回転ダイヤル部４１を備えている。なお、回転ダイヤル部４１の操作及び機能については後述する。
【００２２】
また、携帯電話機１は、図２に示すように、表示部側筐体部３のディスプレイ２１が配置されている裏面側には、所定の情報が表示されるサブディスプレイ２３を備えている。
【００２３】
また、携帯電話機１は、図３に示すように、操作部側筐体部２の操作キー群１１が配置されている裏面側には、被写体を撮像するＣＣＤ（Ｃｈａｒｇｅ  Ｃｏｕｐｌｅｄ  Ｄｅｖｉｃｅ）カメラ等により構成される撮像部１７と、一定の光量を出力する発光部１８とを備えている。
【００２４】
ここで、回転ダイヤル部４１の操作及び機能について説明する。回転ダイヤル部４１は、図４に示すように、ヒンジ機構４の回転軸Ｘに沿って、ユーザの指により所定方向（図４中のａ方向（ヒンジ機構４の回転軸と直交する第１の方向）及びｂ方向（ヒンジ機構４の回転軸と直交する第２の方向））に自在に回転するように筐体に取り付けられている。なお、回転ダイヤル部４１は、図４に示すような構成に限定されず、ユーザの操作によって回転自在な構成であれば良く、回転軸（ヒンジ軸）Ｘと直交する方向の軸に沿って所定方向に自在に回転するような構成等であっても良い。また、回転ダイヤル部４１には、回転方向において所定の間隔ごとにそれぞれ識別可能な複数の抽象的な記号（例えば、丸、三角、四角等）Ｉが付されている。また、回転ダイヤル部４１に付されている各記号は、回転ダイヤル部４１に付されている記号をユーザが目視により確認する必要がないように、指の触覚で判断できるように加工（例えば、立体的な加工）が施されている。
【００２５】
つぎに、ユーザにより回転ダイヤル部４１が操作され、所定のアプリケーションが起動されるまでの流れについて簡略的に説明する。ユーザは、回転ダイヤル部４１を回転し、当該回転に呼応してディスプレイ２１にスクロール表示されるメニューを見ながら所望するアプリケーションを選択する。携帯電話機１は、選択されたアプリケーションを起動させる。
【００２６】
また、回転ダイヤル部４１は、例えば、図５に示すように、ユーザの回転操作によって、無操作時（ニュートラル（Ｎ））を基準として、ａ方向に４５°（ｂ方向に３１５°）回転されることにより、撮像部１７のカメラ機能を概念的に示す表示オブジェクトをディスプレイ２１に表示し、ａ方向に９０°（ｂ方向に２７０°）回転されることにより、メールの機能を概念的に示す表示オブジェクトをディスプレイ２１に表示する。また、回転ダイヤル部４１は、ユーザの回転操作によって、無操作時（Ｎ）を基準として、ａ方向に１３５°（ｂ方向に２２５°）回転されることにより、カレンダー機能を概念的に示す表示オブジェクトをディスプレイ２１に表示し、ａ方向に１８０°（ｂ方向に１８０°）回転されることにより、ツールメニュー（携帯電話機１における音出力等に関する各種の設定を行うメニュー）を概念的に示す表示オブジェクトをディスプレイ２１に表示する。また、回転ダイヤル部４１は、ユーザの回転操作によって、無操作時（Ｎ）を基準として、ａ方向に２２５°（ｂ方向に１３５°）回転されることにより、テレビ機能を概念的に示す表示オブジェクトをディスプレイ２１に表示し、ａ方向に２７０°（ｂ方向に９０°）回転されることにより、メモ帳機能を概念的に示す表示オブジェクトをディスプレイ２１に表示し、ａ方向に３１５°（ｂ方向に４５°）回転されることにより、アドレス帳を概念的に示す表示オブジェクトをディスプレイ２１に表示する。
【００２７】
なお、上述した回転ダイヤル部４１の回転角度に応じて割り当てられているメニューは一例であって、これに限定されることは無い。例えば、ユーザ自身が頻繁に使用するメニューを登録可能な構成であっても良いし、また、所望のＷｅｂアドレスを登録しておき、当該Ｗｅｂアドレスを回転ダイヤル部４１により選択することによって、Ｗｅｂブラウザが起動して当該ＷｅｂアドレスのＷｅｂページを閲覧できるような構成であっても良い。また、メニューの数も上述した数（７つ）に限定されるものではない。
【００２８】
また、無操作時（Ｎ）、すなわちメール等のアプリケーションが起動していない場合には、ディスプレイ２１には所定の待受画面が表示される。また、各アプリケーションの起動操作に応じて当該アプリケーションに対応する表示画面がディスプレイ２１に表示され、当該アプリケーションの終了操作（携帯電話機１では、一般的にオンフック操作を行うことによりアプリケーションの終了操作を行うことができる）が行われると、所定の待受画面がディスプレイ２１に表示される。
【００２９】
また、ユーザは、回転ダイヤル部４１を直接操作することにより、一定条件下において、回転ダイヤル部４１に割り当てられている各種機能を直接的に起動させることができ、従来のようにメインメニューを経由する必要がなく、簡易に所望するアプリケーションを起動することができる。
【００３０】
また、本発明では、図６に示すように、携帯電話機１が開状態の場合において、回転ダイヤル部４１を操作して所定のアプリケーションを選択する際に、回転ダイヤル部４１が回転される状態を表示オブジェクトにより模式的にディスプレイ２１に表示する機能を有している。このような機能を有することにより、回転ダイヤル部４１の操作をディスプレイ２１の表示によってアシストすることができるので、ユーザに対する操作性を向上することができる。
【００３１】
なお、図６においては、現在選択位置（目印）Ｓにかかっている回転ダイヤル部４１の記号Ｉに対応するアプリケーションに係る表示オブジェクトを、その前後の他のアプリケーションに係る表示オブジェクトよりも大きくなるようにディスプレイ２１に表示している。また、図６中のＹにおいて、回転ダイヤル部４１を拡大表示している。
【００３２】
つぎに、回転ダイヤル部４１には抽象的な記号が付されている利点について説明する。例えば、回転ダイヤル部４１の操作によってメールの機能が起動され、閲覧しているメールの本文中に所定のＷｅｂページにアクセス可能な機能（いわゆる、ハイパーリンク機能）が付されている場合に、当該機能を選択し当該所定のＷｅｂページを閲覧したような場合には、ブラウザ機能がアクティブになり、メールによる機能は終了又はノンアクティブ状態になる。このような状況下において、回転ダイヤル部４１に起動対象となるアプリケーションに直結するような指標（例えば、絵で示したアイコン）が付されている場合には、回転ダイヤル部４１の表示（メール機能）と現在アクティブになっているアプリケーション（ブラウザ機能）との間に不一致が生じ、ユーザに対して違和感を与える可能性がある。
【００３３】
そこで、本発明では、回転ダイヤル部４１には現在アクティブになっているアプリケーションに直結するような記号ではなく、抽象的な記号が付されているため、上述のような事態が生じてもユーザに対して違和感を与えることがない。
【００３４】
また、以下に、図７を参照しながら、本発明に係る回転ダイヤル部４１に付されている各記号と起動されるアプリケーションとの関係について説明する。例えば、図７（ａ）に示すように、選択位置（目印）Ｓに回転ダイヤル部４１の三角記号が位置している場合には、当該三角記号にニュートラル（Ｎ）、すなわち待受画面を表示する機能が割り当てられる。また、ａ方向に４５°回転させた位置に付されている星記号にカメラの機能が割り当てられる。また、ｂ方向に４５°回転させた位置に付されている丸記号にアドレス帳の機能が割り当てられる。また、ｂ方向に９０°回転させた位置に付されている四角記号にメモ帳の機能が割り当てられる。また、ｂ方向に１３５°回転させた位置に付されている×（バツ）記号にテレビ機能が割り当てられる（図７（ｂ）を参照。）。また、ユーザによる操作に応じて回転ダイヤル部４１が回転動作されて、ｂ方向に４５°回転されて、所定の操作が行われることにより、丸記号に割り当てられているアドレス帳が起動する。
【００３５】
そして、ユーザによるアドレス帳の終了操作（例えば、オンフックキーの押し下げ操作）が行われたときに、アドレス帳の機能が終了し、待受画面に戻る（図７（ｃ）を参照。）。この場合には、丸記号に待受画面を表示する機能が割り当てられ、ａ方向に４５°回転させた位置に付されている三角号にカメラの機能が割り当てられる。また、ａ方向に９０°回転させた位置に付されている星記号にメール機能が割り当てられる。また、ｂ方向に４５°回転させた位置に付されている四角記号にアドレス帳の機能が割り当てられる。また、ｂ方向に９０°回転させた位置に付されている×（バツ）記号にメモ帳の機能が割り当てられる（図７（ｄ）、（ｅ）を参照。）。
【００３６】
また、図８には、回転ダイヤル部４１に付されている各記号に最初に割り当てられていたアプリケーションとの関係と、オンフック操作後において、各記号に割り当てられたアプリケーションとの関係を示す。
【００３７】
このように構成されることにより、待受画面が表示されているときの選択位置（目印）Ｓに位置している記号に対して、待受画面を表示する機能が割り当てられるので、選択位置（目印）Ｓにある記号の種類にかかわらず、常に、待受画面からの一定の操作にしたがって所定のアプリケーションの起動が可能となり、操作性の向上を図ることができる。
【００３８】
ここで、上述した機能を実現するための構成について説明する。携帯電話機１は、図９に示すように、所定の情報を表示するディスプレイ２１と、所定の情報を表示するサブディスプレイ２３と、ユーザの操作により回転される回転ダイヤル部４１と、外部の端末と通信を行う通信部６０と、所定の処理を行う処理部７０と、所定容量を有する充電池８０と、充電池８０から供給される電源電圧を所定の電圧に変換し、変換後の電圧を通信部６０や処理部７０等に供給する電源回路部９０と、を備えている。
【００３９】
通信部６０は、所定の使用周波数帯により外部装置と通信を行うメインアンテナ６１と、変調処理又は復調処理等の信号処理を行う通信処理部６２と、を備える。
【００４０】
メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００４１】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。
【００４２】
電源回路部９０は、充電池８０から供給される電源電圧を所定の電圧値に変圧し、変圧後の電源電圧を通信部６０や処理部７０等に供給する。
【００４３】
処理部７０は、図１０に示すように、回転ダイヤル部４１が回転されたときの回転量を検出する回転量検出部７１と、回転量検出部７１により検出される回転量と起動するアプリケーションとを規定順序として対応付けて記憶する記憶部７２と、記憶部７２を参照して回転量検出部７１により検出される回転量に対応するアプリケーションを特定し、特定した当該アプリケーションに対応する表示オブジェクトを選択する表示オブジェクト選択部７３と、表示オブジェクトを表示部に表示する制御部７４と、を備える。
【００４４】
また、回転ダイヤル部４１が回転されたときに、表示オブジェクト選択部７３は、回転量検出部７１により検出される回転量に対応するアプリケーションを特定し、特定されたアプリケーションとともに規定順序にしたがって当該特定されたアプリケーションに隣り合うアプリケーションに対応する表示オブジェクトを選択する。また、制御部７４は、所定の待受画面に代えて、選択された表示オブジェクトをディスプレイ２１に表示するように制御する。
【００４５】
なお、本実施例では、回転量検出部７１は、回転ダイヤル部４１の角度の変化量を回転量として検出しているが、これに限られず、回転ダイヤル部４１の回転に応じた変化を検出できれば良く、例えば、抵抗率の変化等を回転量として検出しても良い。
【００４６】
このように構成されることにより、本発明では、回転ダイヤル部４１の回転に伴って、当該回転の様子をディスプレイ２１により拡大表示させることができるので、回転ダイヤル部４１による操作性を向上させることができる。
【００４７】
また、上述したように、回転ダイヤル部４１の表面には、回転する方向において所定の間隔ごとに抽象的な記号が付されている。また、処理部７０は、図１０に示すように、回転量記憶部７５と、置換部７６と、を備える。
【００４８】
回転量記憶部７５は、回転量検出部７１により回転量が検出され、当該回転量を記憶する。
【００４９】
置換部７６は、回転量記憶部７５に記憶されている回転量に対応するアプリケーションが起動され、その後回転量記憶部７５に記憶されている回転量に基づかないで他のアプリケーションが起動された場合、記憶部７２を参照して他のアプリケーションに対応する回転量を読み出し、回転量記憶部７５に記憶されている回転量を当該読み出した回転量に置き換える。
【００５０】
このように構成されることにより、本発明では、回転ダイヤル部４１に付されている記号は、抽象的なもの（例えば、丸、三角、四角等）なので、起動されるアプリケーションに対応させる必要がないため、ユーザに対して、起動されているアプリケーションと回転ダイヤル部４１の記号との不一致による違和感を与えることがない。
【００５１】
また、処理部７０は、図１０に示すように、開閉検出部７７と、決定部７８と、を備える。
【００５２】
開閉検出部７７は、筐体の開状態と閉状態とを検出する。決定部７８は、開閉検出部７７の検出結果に基づいてディスプレイ２１に表示される表示オブジェクトの個数を決定する。また、制御部７４は、決定部７８により決定された個数の表示オブジェクトをディスプレイ２１に表示するように制御する。
【００５３】
このように構成されることにより、本発明では、実際にユーザの視覚に映る回転ダイヤル部４１の外観的なイメージが模式的にディスプレイ２１に表示される。例えば、視覚に映る回転ダイヤル部４１の数が３つであるならば、ディスプレイ２１に表示される表意オブジェクトの数も３つである。したがって、本発明は、操作においてユーザに違和感を与えることがない。
【００５４】
また、回転ダイヤル部４１は、ヒンジ機構４のヒンジ軸と同一軸に回動自在に取り付けられている。また、制御部７４は、ディスプレイ２１に表示されている表示オブジェクトをヒンジ軸と直交する方向に移動する、すなわち回転ダイヤル部４１に付されている記号Ｉが回転する方向と同一方向に移動するように制御する。
【００５５】
このように構成されることにより、本発明では、回転ダイヤル部４１の回動方向と、ディスプレイ２１に表示される表示オブジェクトのスクロール方向をシンクロさせるので、操作においてユーザに違和感を与えることがない。
【符号の説明】
【００５６】
１  携帯電話機
２  操作部側筐体部
３  表示部側筐体部
４  ヒンジ機構
４１  回転ダイヤル部
７０  処理部
７１  回転量検出部
７２  記憶部
７３  表示オブジェクト選択部
７４  制御部
７５  回転量記憶部
７６  置換部
７７  開閉検出部
７８  決定部
【図１】
0005514706.tif 000002
【図２】
0005514706.tif 000003
【図３】
0005514706.tif 000004
【図４】
0005514706.tif 000005
【図５】
0005514706.tif 000006
【図６】
0005514706.tif 000007
【図７】
0005514706.tif 000008
【図８】
0005514706.tif 000009
【図９】
0005514706.tif 000010
【図１０】
0005514706.tif 000011